【事件の表示】
　特許第３０１０９３６号「音楽再生装置」の請求項１に係る特許に対する特許異議の申立てについて、次のとおり決定する。
【結　論】
　訂正を認める。
　特許第３０１０９３６号の請求項１に係る特許を維持する。
【理　由】
１．手続の経緯
　　特許第３０１０９３６号の請求項１に係る発明についての出願は、平成４年１０月２０日に特許出願され、平成１１年１２月１０日にその発明について特許の設定登録がされ、その後、その特許について、異議申立人パイオニア株式会社により特許異議の申立てがなされ、取り消し理由通知がなされ、その指定期間内である平成１３年１月１０日に訂正請求がなされたものである。
　
２．訂正の適否についての判断
　(1) 訂正の内容
　　　特許権者が求めている訂正の内容は以下のア、イ、ウのとおりである。
　　　なお、下線部が訂正箇所である。
　ア．訂正事項ａ
　　　特許請求の範囲の請求項１を
「曲データ記憶手段（１８）、音楽再生手段（２０）、映像再生手段（２２）、入力手段（１６）、制御手段（１０）を備えた音楽再生装置であって、
曲データ記憶手段（１８）は、複数の曲データを記憶し、
曲データは、音楽データ、歌詞データ、条件データを有し、
音楽再生手段（２０）は、音楽データに基づいて再生を行い、
映像再生手段（２２）は、歌詞データに基づいて再生を行い、
入力手段（１６）は、予約曲の指定、及び、ＢＧＭ条件
としてのジャンル
制御手段（１０）は、
予約曲が有る場合には、その音楽データを音楽再生手段（２０）に、その歌詞データを映像再生手段（２２）に再生させ、
予約曲が無い場合には、入力手段（１６）で指定されたＢＧＭ条件
としてのジャンルに該当する曲を拾い出し、その
　イ．訂正事項ｂ
　　　願書に添付した明細書（以下「特許明細書」という。）段落【０００５】を
「　【課題を解決するための手段】この目的を達成するために本発明の音楽再生装置は、図１に示すように、曲データ記憶手段、音楽再生手段、映像再生手段、入力手段、制御手段を備えた音楽再生装置であって、曲データ記憶手段は、複数の曲データを記憶し、曲データは、音楽データ、歌詞データ、条件データを有し、音楽再生手段は、音楽データに基づいて再生を行い、映像再生手段は、歌詞データに基づいて再生を行い、入力手段は、予約曲の指定、及び、ＢＧＭ条件
としてのジャンル
としてのジャンルに該当する曲を拾い出し、その
　ウ．訂正事項ｃ
　　　特許明細書段落【００２０】を
「　【発明の効果】
　以上説明したことから明らかなように、本発明の音楽再生装置によれば、ＢＧＭ演奏用の専用の再生媒体を使用せずに、利用者が好みに合った曲だけをＢＧＭとして多数曲演奏することができるので、音楽再生装置でありながらＢＧＭ演奏装置としても大きな効果をあげることができる。また、ＢＧＭとしてワンパターンの曲が演奏されることがなくなるので、音楽再生装置の利用者が聴き飽きるということもない。さらに、入力手段で指定されたＢＧＭ条件
としてのジャンルに該当する
　(2) 訂正の目的の適否、新規事項の有無、及び特許請求の範囲の拡張・変更の存否
　　　上記訂正事項ａは、請求項１の「ＢＧＭ条件」、「指定されたＢＧＭ条件を有する曲データ」を段落【００１４】、【００１８】の記載に基いて限定しているので、特許請求の範囲の減縮に該当するものであって、新規事項の追加に該当せず、また、実質上特許請求の範囲を拡張し、又は変更するものではない。
　　　また、上記訂正事項ｂ、ｃは、上記訂正事項ａに伴う訂正であるので、明りょうでない記載の釈明を目的とする訂正であって、新規事項の追加に該当せず、また、実質上特許請求の範囲を拡張し、又は変更するものでもない。
　(3) むすび
　　　以上のとおりであるから、上記訂正は特許法第１２０条の４第３項において準用する平成６年法律第１１６号による改正前の特許法第１２６条第１項ただし書き、第２項及び３項の規定に適合するので、当該訂正を認める。
　
３．特許異議の申立てについて
　(1) 申立ての理由の概要
　　　特許異議申立人パイオニア株式会社は、甲１号証（特願平４−１６８４２２号）を提出し、特許第３０１０９３６号の請求項１に係る発明は、特許法第２９条の２の規定のより特許を受けることができず、その特許は、特許法第１１３条第２号に該当するので取り消されるべきものである旨主張している。
　(2) 本件発明
　　　特許第３０１０９３６号の請求項１に係る発明（以下「本件発明」という。）は、平成１３年１月１０日付けの訂正明細書の特許請求の範囲の請求項１に記載された事項により特定されるとおりのものである（上記２．(1)ア．参照）。
　(3) 先願明細書 
　　　当審が平成１２年１１月６日に通知した取消しの理由において引用した、本件出願の日前の他の出願であって、その出願後に出願公開された特願平４−１６８４２２号（特開平５−３３３８９０号公報）の願書に最初に添付された明細書及び図面（以下「先願明細書」という。）には、カラオケ装置、すなわち音楽再生装置において、ＢＧＭとしてカラオケデータを使うことが記載されている。
　(4) 対比・判断
　　　本件発明と先願明細書に記載された発明とを対比すると、先願明細書には、入力手段が、「ＢＧＭ条件としてのジャンルの指定が可能であり」、かつ「予約曲が無い場合には、入力手段で指定されたＢＧＭ条件としてのジャンルに該当する曲を拾い出し、その曲データの音楽データのみを順次音楽再生手段（２０）に再生させる」ことは記載されておらず、示唆する記載もない。
　　　しかも、「ポップス等の特定ジャンルの曲をＢＧＭとして選択することができる」といった顕著な作用効果を奏するものと認められる。
　　　してみると、本件発明は、先願明細書に記載された発明と同一でない。
　
４．むすび
　　以上のとおりであるから、特許異議申立ての理由及び証拠によっては、本件請求項１に係る発明の特許を取り消すことはできない。
　　また、他に本件請求項１に係る発明の特許を取り消すべき理由を発見しない。
　　よって、結論のとおり決定する。
【異議決定日】
平成１３年１月２３日（２００１．１．２３）
【訂正の要旨】
　　　訂正の要旨
　　（訂正番号１）請求項１に下記のように文言を追加する。
　【請求項１】　曲データ記憶手段（１８）、音楽再生手段（２０）、映像再生手段（２２）、入力手段（１６）、制御手段（１０）を備えた音楽再生装置であって、
曲データ記憶手段（１８）は、複数の曲データを記憶し、
曲データは、音楽データ、歌詞データ、条件データを有し、
音楽再生手段（２０）は、音楽データに基づいて再生を行い、
映像再生手段（２２）は、歌詞データに基づいて再生を行い、
入力手段（１６）は、予約曲の指定、及び、ＢＧＭ条件
としてジャンル
可能であり、
制御手段（１０）は、
予約曲が有る場合には、その音楽データを音楽再生手段（２０）に、その歌詞データを映像再生手段（２２）に再生させ、
予約曲が無い場合には、入力手段（１６）で指定されたＢＧＭ条件
としてのジャンルに該当する曲を拾い出し、その
　　（訂正番号２）段落（０００５）に下記のように文言を追加する。
　　　【０００５】
　　【課題を解決するための手段】この目的を達成するために本発明の音楽再生装置は、図１に示すように、曲データ記憶手段、音楽再生手段、映像再生手段、入力手段、制御手段を備えた音楽再生装置であって、曲データ記憶手段は、複数の曲データを記憶し、曲データは、音楽データ、歌詞データ、条件データを有し、音楽再生手段は、音楽データに基づいて再生を行い、映像再生手段は、歌詞データに基づいて再生を行い、入力手段は、予約曲の指定、及び、ＢＧＭ条件
としてのジャンル
としてのジャンルに該当する曲を拾い出し、その
　　（訂正番号３）段落（００２０）に下記のように文言を追加する。
　　　【００２０】
　　【発明の効果】
　以上説明したことから明らかなように、本発明の音楽再生装置によれば、ＢＧＭ演奏用の専用の再生媒体を使用せずに、利用者が好みに合った曲だけをＢＧＭとして多数曲演奏することができるので、音楽再生装置でありながらＢＧＭ演奏装置としても大きな効果をあげることができる。また、ＢＧＭとしてワンパターンの曲が演奏されることがなくなるので、音楽再生装置の利用者が聴き飽きるということもない。さらに、入力手段で指定されたＢＧＭ条件
としてのジャンルに該当する
（５４）【発明の名称】
音楽再生装置
（５７）【特許請求の範囲】
　　【請求項１】　曲データ記憶手段（１８）、音楽再生手段（２０）、映像再生手段（２２）、入力手段（１６）、制御手段（１０）を備えた音楽再生装置であって、
曲データ記憶手段（１８）は、複数の曲データを記憶し、
曲データは、音楽データ、歌詞データ、条件データを有し、
音楽再生手段（２０）は、音楽データに基づいて再生を行い、
映像再生手段（２２）は、歌詞データに基づいて再生を行い、
入力手段（１６）は、予約曲の指定、及び、ＢＧＭ条件
としてのジャンル
制御手段（１０）は、
予約曲が有る場合には、その音楽データを音楽再生手段（２０）に、その歌詞データを映像再生手段（２２）に再生させ、
予約曲が無い場合には、入力手段（１６）で指定されたＢＧＭ条件
としてのジャンルに該当する曲を拾い出し、その
【発明の詳細な説明】
　　　【０００１】
　　【産業上の利用分野】
　本発明は、記憶されている音楽データを再生する音楽再生装置に関するものである。
　　　【０００２】
　　【従来の技術】
　従来、音楽再生装置としてのカラオケ装置は、カラオケとして使用していないときには、映像信号や音声信号が記録されているＢＧＭ専用のレーザーディスク媒体やビデオテープ媒体などを再生して、ＢＧＭ演奏装置として使用される事が多い。
　　　【０００３】
　　【発明が解決しようとする課題】
　しかしながら、上記のようなレーザーディスク媒体やビデオテープ媒体などを使用する再生装置では、ＢＧＭ専用の媒体をそのまま再生するだけであり、曲数はその媒体に記録されたものしか再生できないので少なく、変化にも乏しいのですぐ聞き飽きてしまうといった問題点があった。
　　　【０００４】
　本発明は、上述した問題点を解決するためになされたものであり、利用者が所望する複数の条件で多くの曲をＢＧＭとして再生できるようにする事で、ＢＧＭ再生装置としての効果を最大限発揮する音楽再生装置を提供することを目的とする。
データを映像再生手段に再生させることを特徴とする構成となっている。
　　　【０００５】
　　【課題を解決するための手段】この目的を達成するために本発明の音楽再生装置は、図１に示すように、曲データ記憶手段、音楽再生手段、映像再生手段、入力手段、制御手段を備えた音楽再生装置であって、曲データ記憶手段は、複数の曲データを記憶し、曲データは、音楽データ、歌詞データ、条件データを有し、音楽再生手段は、音楽データに基づいて再生を行い、映像再生手段は、歌詞データに基づいて再生を行い、入力手段は、予約曲の指定、及び、ＢＧＭ条件
としてのジャンル
としてのジャンルに該当する曲を拾い出し、その
　　　【０００６】
　　【作用】
　上記の構成を有する本発明の音楽再生装置では、曲データ記憶手段は、複数の曲データを記憶し、曲データは、音楽データ、歌詞データ、条件データを有し、音楽再生手段は、音楽データに基づいて再生を行い、映像再生手段は、歌詞データに基づいて再生を行い、入力手段は、予約曲の指定、及び、ＢＧＭ条件の指定が可能であり、制御手段は、予約曲が有る場合には、その音楽データを音楽再生手段に、その歌詞データを映像再生手段に再生させ、予約曲が無い場合には、入力手段で指定されたＢＧＭ条件を有する曲データの音楽データのみを順次音楽再生手段に再生させると共に、再生中に予約曲の指定がなされたとき、その音楽データを音楽再生手段に、その歌詞データを映像再生手段に再生させる。このような動作を繰り返して演奏を続けることで、利用者の希望する組み合わせ方や再生順序で音楽のＢＧＭ再生やカラオケ曲の演奏を行うことができる。
　　　【０００７】
　　【実施例】
　以下、本発明をカラオケ装置に具体化した一実施例を図面を参照して説明する。
　　　【０００８】
　図２は本実施例のカラオケ装置の機能ブロック構成を示している。この図２において、ＣＰＵ１０は、利用者が希望する条件に合致する曲を選択し順番を決定するのに必要な量のＲＡＭ１２を内蔵したマイクロコンピュータで構成され、図３に示すように予め定められた制御プログラムが格納されたＲＯＭ１４も内蔵する。このＣＰＵ１０は、ＲＯＭ１４内の制御プログラムに従い本装置全体の制御を行うもので、図１に示す中央制御手段に該当する。キーパネル１６は家電機器や情報機器で広く使用されるもので、利用者が任意に操作することにより所望の演奏楽曲を選択してこれを選択曲情報として入力したり、ＢＧＭ演奏条件の変更を指示入力したりするものであり、図１に示す入力手段に該当する。ハードディスク装置１８は、本装置により再生される音楽および歌詞データを記憶しておくものであり、これらのデータはＣＰＵ１０により読み出される。このハードディスク装置１８は図１に示す記憶手段に該当する。また、ハードディスク装置１８に換えてコンピュータ用の大容量記憶装置として使用されるＣＤ−ＲＯＭ装置、あるいは光磁気ディスク装置を用いてもよい。
　　　【０００９】
　図７は、ハードディスク装置１８に記憶されている曲データのフォーマットの例を示したもので、全ての曲はこのフォーマットに従って記憶されている。先頭より順に説明すると、曲番号は曲ごとに一意的に付与される管理番号である。曲名、歌手名、作詞家名、作曲家名はその名の通りである。分類コードは、演歌、ポップスなどといったジャンル分類に使用するコードであり、年月日はリリースされた年月日が入っている。その後に歌詞が１、２、３番と順にテキストデータとして記憶されていて歌詞データの最後には歌詞終了コードがあり、その後に続いて音楽データがある。音楽データの最後には音楽終了コードがあり一番最後にはこの曲のデータの終了を示す曲データ終了コードがある。
　　　【００１０】
　シンセサイザ２０は、ハードディスク装置１８からＣＰＵ１０が読み出して転送してくる音楽データをＣＰＵ１０の制御に基づいて再生するものであり、電子楽器としてごく一般的なものである。このシンセサイザ２０は図１に示されている再生手段に該当する。なお、本実施例では、音楽再生装置の使用例として、いわゆるカラオケ装置を想定しているので、歌詞を表示する機能を実現するために、図４に示すように表示用メモリ２４やキャラクタジェネレータ２６から構成される映像信号発生器２２を持ち、ハードディスク装置１８からＣＰＵ１０が読み出して転送してくる歌詞データをＴＶ用信号に変換してＴＶ２８に出力する。また歌唱音声を収音するマイク３０と、このマイク３０より出力される音声信号とシンセサイザ２０から出力される演奏音とを混合して出力するスピーカ３２とを備えている。
　　　【００１１】
　次に、上記構成のカラオケ装置の動作について図５のフローチャートに沿ってＣＰＵ１０の制御動作を中心に説明する。なお、このカラオケ装置では、曲の予約は任意のタイミングで割り込み処理により行われる。
　　　【００１２】
　ＣＰＵ１０は、電源オン後初期設定が終了すると（Ｓ１）、ステップＳ２にて予約曲があるか否かを判断する。いまは、電源オンの直後であるので予約曲はなく、ステップＳ２はＮＯとなる。予約曲がある場合には（Ｓ２：ＹＥＳ）、ＣＰＵ１０は、予約されている曲に該当する音楽データと歌詞データをハードディスク装置１８より読み出し、音楽データをシンセサイザ２２に、歌詞データを映像信号発生装置２２内部の表示用メモリ２４に、各々所定のタイミングで先頭より順次転送するという動作をデータが終了する（曲が終了する）まで行う（Ｓ３，Ｓ４）。シンセサイザ２０は、受け取った音楽データに従って演奏音を再生し、映像信号発生装置２２は、受け取った歌詞データに従って文字形状をキャラクタジェネレータ２６により発生させ、その画像情報をＴＶ信号に変換してＴＶ２８へ出力すると、ＴＶ２８は歌詞の文字を画面に表示する。利用者は、このような一連の動作によって再生される演奏音を聞き、表示される歌詞を見ながらマイク３０を用いて歌唱すると、その歌唱音声信号が再生演奏音信号と混合されスピーカ３２に出力される。
　　　【００１３】
　そして、曲の演奏が終了すると（Ｓ５：ＹＥＳ）、ステップＳ２に示す処理に戻って予約曲の有無を判断する。
　　　【００１４】
　次に本発明の特徴である、複数のＢＧＭ演奏の条件からの選択に関して以下に説明するが、本カラオケ装置は、ジャンル別、年代別、歌手別、個別指定の四つの条件のＢＧＭ演奏モードがあるものとする。
　　　【００１５】前述したステップＳ２において予約曲がなければ（Ｓ２：ＮＯ）、ＣＰＵ１０は利用者にどのような曲をＢＧＭとして演奏するかを促す動作をする（Ｓ６）。例えば画面に図６に示すように表示して、番号１から４のどれかを入力させるようにする。ここで利用者が番号２の「年代別」と設定した場合を仮定すると、ＣＰＵ１０はさらに何年何月から何年何月までにリリースされた曲を演奏するのかを入力するように促す（Ｓ１０）。たとえば１９９０年１月から１９９２年６月までと入力があったとすると、ハードディスク装置１８を順次サーチして、リリース年月日が該当する曲を拾い出し、その曲番号をＲＡＭ１２に記憶しておく（Ｓ１２，Ｓ１３）。
　　　【００１６】
　サーチがすべて終了したら、ＣＰＵ１０は前記ＲＡＭ１２に記憶された曲番号に対応した曲データをハードディスク装置１８から読み出し、音楽データをシンセサイザ２２に所定のタイミングで先頭より順次転送して演奏する（Ｓ１４）。この場合、カラオケ演奏ではないので歌詞を表示する必要はなく、従って、ハードディスク装置１８からは歌詞データを読み出さない。また、曲データをハードディスク装置１８より読み出す順序としては、曲番号順に読み出す、あるいは、曲番号をランダムに並べ変えて読み出す等の方法が考えられる。そして、指定した条件に該当する曲のＢＧＭ演奏がすべて終了すると（Ｓ１６：ＹＥＳ）、Ｓ２に示す処理に戻る。
　　　【００１７】
　また、このＢＧＭ演奏の最中に演奏曲の予約が入力されたときには（Ｓ１５：ＹＥＳ）、Ｓ２に示す処理に戻り、続けてＳ４以降の処理を行う。
　　　【００１８】
　また、図６に示す画面で、そのほかの条件、例えば、番号１の「ジャンル別」を設定した場合は、利用者がそのジャンルを入力すると（Ｓ９）、ＣＰＵ１０はハードディスク装置１８を順次サーチして入力されたジャンルに該当する曲を拾い出し、上記と同様に演奏を行う。番号３の「歌手別」を設定した場合は、利用者が歌手名を入力すると（Ｓ１１）、同様にその歌手名に該当する曲を拾い出し、上記と同様に演奏を行う。番号４の「個別指定」を設定した場合には、利用者は希望する曲の曲番号を複数個入力し（Ｓ７）、入力が完了すると（Ｓ８：ＹＥＳ）、入力された曲番号に対応する曲の演奏を上記と同様に行う。
　　　【００１９】
　以上のような本実施例のカラオケ装置の構成によれば、ＢＧＭ専用のレーザディスクやビデオテープなどの媒体を使用することなく、利用者の希望に合った曲を順次自動的にＢＧＭとして演奏するといった機能を実現することが可能になる。
　　　【００２０】
　　【発明の効果】
　以上説明したことから明らかなように、本発明の音楽再生装置によれば、ＢＧＭ演奏用の専用の再生媒体を使用せずに、利用者が好みに合った曲だけをＢＧＭとして多数曲演奏することができるので、音楽再生装置でありながらＢＧＭ演奏装置としても大きな効果をあげることができる。また、ＢＧＭとしてワンパターンの曲が演奏されることがなくなるので、音楽再生装置の利用者が聴き飽きるということもない。さらに、入力手段で指定されたＢＧＭ条件
としてのジャンルに該当する
【図面の簡単な説明】
　　【図１】
　図１は本発明の音楽再生装置の構成を示すブロック図である。
　　【図２】
　図２は本発明の一実施例であるカラオケ装置の構成を示すブロック図である。
　　【図３】
　図３は上記カラオケ装置のＣＰＵの構成を示すブロック図である。
　　【図４】
　図４は上記カラオケ装置の映像信号発生装置の構成を示すブロック図である。
　　【図５】
　図５は上記カラオケ装置のＣＰＵの制御動作を示したフローチャート図である。
　　【図６】
　図６は、ＢＧＭ演奏条件の選択画面の一例を示した図である。
　　【図７】
　図７は上記カラオケ装置の曲データのフォーマットを示した説明図である。
　　【符号の説明】
１０　ＣＰＵ
１６　キーパネル
１８　ハードディスク装置
２０　シンセサイザ